(57)【特許請求の範囲】
【請求項１】
複数のノードがリング状に接続され、特定ノードを除く各ノードがパス数に応じた情報量を含む第１の制御信号を特定ノードに送信し、特定ノードが各ノードの情報量に応じてそれぞれに割り当てる帯域を決定し、その割当帯域情報を含む第２の制御信号を生成して各ノードに通知するネットワークシステムにおいて、
前記各ノードの一部または全部は、集約対象のノード（以下、被集約ノードという）および自ノードが送信する前記第１の制御信号を集約し、第１の集約制御信号として前記特定ノードに送信するメディエータの設定が可能な構成とし、
前記特定ノードは、前記メディエータを設定する集約ノードとして、該集約ノードおよび前記特定ノードにおける前記被集約ノードの数の偏差、または集約する情報量の偏差が閾値以下となるノードを決定し、当該ノードのメディエータの機能を起動する制御を行う手段を備え、
前記集約ノードは、前記被集約ノードおよび自ノードが送信する前記第１の制御信号を集約した前記第１の集約制御信号を前記特定ノードに向けて送信する構成である
ことを特徴とするネットワークシステム。
【請求項２】
請求項１に記載のネットワークシステムにおいて、
前記特定ノードは、前記集約ノードに対して、所定のノードの割当帯域情報を集約した第２の集約制御信号を送信する手段を備え、
前記集約ノードは、前記第２の集約制御信号をそれぞれ対応する所定のノードの前記第２の制御信号に分割して転送する手段を備えた
ことを特徴とするネットワークシステム。
【請求項３】
請求項１に記載のネットワークシステムにおいて、
前記特定ノードは、ノード間の伝搬遅延が最大となる２つのノードのうち、制御信号の送信方向に対して上流側のノードとする
ことを特徴とするネットワークシステム。
【請求項４】
複数のノードがリング状に接続され、特定ノードを除く各ノードがパス数に応じた情報量を含む第１の制御信号を特定ノードに送信し、特定ノードが各ノードの情報量に応じてそれぞれに割り当てる帯域を決定し、その割当帯域情報を含む第２の制御信号を生成して各ノードに通知するネットワークシステムの制御方法において、
前記各ノードの一部または全部は、集約対象のノード（以下、被集約ノードという）および自ノードが送信する前記第１の制御信号を集約し、第１の集約制御信号として前記特定ノードに送信するメディエータの設定が可能な構成とし、
前記特定ノードは、前記メディエータを設定する集約ノードとして、該集約ノードおよび前記特定ノードにおける前記被集約ノードの数の偏差、または集約する情報量の偏差が閾値以下となるノードを決定し、当該ノードのメディエータの機能を起動する制御を行い、
前記集約ノードは、前記被集約ノードおよび自ノードが送信する前記第１の制御信号を集約した前記第１の集約制御信号を前記特定ノードに向けて送信する
ことを特徴とするネットワークシステムの制御方法。
【請求項５】
請求項４に記載のネットワークシステムの制御方法において、
前記特定ノードは、前記集約ノードに対して、所定のノードの割当帯域情報を集約した第２の集約制御信号を送信し、
前記集約ノードは、前記第２の集約制御信号をそれぞれ対応する所定のノードの前記第２の制御信号に分割して転送する
ことを特徴とするネットワークシステムの制御方法。
【請求項６】
請求項４に記載のネットワークシステムの制御方法において、
前記特定ノードは、ノード間の伝搬遅延が最大となる２つのノードのうち、制御信号の送信方向に対して上流側のノードとする
ことを特徴とするネットワークシステムの制御方法。
【発明の詳細な説明】
【技術分野】
【０００１】
本発明は、ＴＤＭ（時分割多重化）方式を用いたネットワークシステムおよびその制御方法に関する。
【背景技術】
【０００２】
ＴＤＭネットワークシステムでは、実トラヒックに追従するように各パスに帯域（タイムスロット：ＴＳ）を割り当てることにより、効率的なネットワークリソースの管理を可能にしている。なお、パスとは、例えば送信元、宛先、パス優先度等の組合せによって定義されるものとする（非特許文献１）。
【０００３】
図８に示すＰＯＮシステムでは、上位装置であるＯＬＴ（加入者終端装置）が下位装置であるＯＮＵ（加入者装置）からトラヒック情報を収集し、各ＯＮＵのトラヒック情報に基づくＤＢＡ（動的帯域割当）制御により各ＯＮＵに割り当てる帯域（ＴＳ）を決定し、ＯＬＴから各ＯＮＵへ通知している。各ＯＮＵは、ＯＬＴから割り当てられた帯域（ＴＳ）でデータ転送を行う。
【０００４】
なお、ＰＯＮシステムにおいて、トラヒック情報の収集および割当帯域の通知を行う制御信号のやりとりには、ＭＰＣＰというプロトコルが使われ、各ノードに専用のチャネル（制御信号用の帯域リソース）が排他的に確保される。
【０００５】
図９に示すリングネットワークシステムでは、多数のノード１〜４が光ファイバケーブルを介してループ状に接続され、各ノードの制御部が自ノードのトラヒック情報を含む制御信号を特定のノード１に転送し、その特定のノード１の帯域割当制御部が各ノード２〜４のパスに割り当てる帯域（ＴＳ）を決定し、当該割当帯域情報を含む制御信号を生成して各ノード２〜４の制御部に送信する。各ノード２〜４の制御部は、自ノード宛ての制御信号の情報をもとに、割り当てられた帯域（ＴＳ）でデータ転送を行う。
【０００６】
図９に示すリングネットワークシステムにおける制御信号用のＴＳテーブルの一例を図１０に示す。ノード２〜ノード13から帯域割当制御を行う特定のノード１に制御信号を送信するタイムスロットをＴＳ１〜ＴＳ12とする。このとき、例えばノード13とノード１との間のリンクに着目すると、12ＴＳの帯域が必要になる。
【先行技術文献】
【非特許文献】
【０００７】
【非特許文献１】M.Jinno, H.Takara, B.Kozicki, Y.Tsukishima, Y.Sone, and S.Matsuoka,"Spectrum-Efficient and Scalable Elastic Optical Path Network: Architecture,Benefits, and Enabling Technologies," IEEE Commun.Mag.,Vol.47,Issue 11,pp.66-73,2009
【発明の概要】
【発明が解決しようとする課題】
【０００８】
帯域割当制御では、下位装置（ＯＮＵまたはノード）から上位装置（ＯＬＴまたは特定のノード）へのトラヒック情報の収集頻度を高めることにより、精度の高い帯域割当が可能となり、ネットワークリソースの使用効率を高めることができる。ただし、大規模ネットワークでは、下位装置数の増加に伴い、トラヒック情報を収集する制御信号の帯域負荷が増大することから、効率的な制御信号の伝送形態が必要になっている。その一つとして、メディエータ（中間集約装置）を用いて制御信号（トラヒック情報）を転送するパスを集約する方法が考えられている。
【０００９】
なお、図８に示すＰＯＮシステムを多段接続構成したネットワークシステムでは、制御信号を中継するノードが固定であり、かつ接続点となる全てのノードが中継役を担うため、既存のＰＯＮとは異なる追加機能を多くのノードに配備し、かつ稼働させる必要がある。一方、図９および図１０に示すリングネットワークシステムでは、メディエータを有する集約ノードの位置は任意に設定可能であるが、ネットワークリソースの使用効率を高める位置にメディエータを配置でき、かつネットワーク環境の変化等に応じて配置位置を動的に変更できることが望ましい。
【００１０】
本発明は、メディエータを設定する集約ノードの位置を決定し、集約した制御信号を効率よく転送することが可能なネットワークシステムおよびその制御方法を提供することを目的とする。
【課題を解決するための手段】
【００１１】
第１の発明は、複数のノードがリング状に接続され、特定ノードを除く各ノードがパス数に応じた情報量を含む第１の制御信号を特定ノードに送信し、特定ノードが各ノードの情報量に応じてそれぞれに割り当てる帯域を決定し、その割当帯域情報を含む第２の制御信号を生成して各ノードに通知するネットワークシステムにおいて、各ノードの一部または全部は、集約対象のノード（以下、被集約ノードという）および自ノードが送信する第１の制御信号を集約し、第１の集約制御信号として特定ノードに送信するメディエータの設定が可能な構成とし、特定ノードは、メディエータを設定する集約ノードとして、該集約ノードおよび特定ノードにおける被集約ノードの数の偏差、または集約する情報量の偏差が閾値以下となるノードを決定し、当該ノードのメディエータの機能を起動する制御を行う手段を備え、集約ノードは、被集約ノードおよび自ノードが送信する第１の制御信号を集約した第１の集約制御信号を特定ノードに向けて送信する構成である。
【００１３】
第１の発明のネットワークシステムにおいて、特定ノードは、集約ノードに対して、所定のノードの割当帯域情報を集約した第２の集約制御信号を送信する手段を備え、集約ノードは、第２の集約制御信号をそれぞれ対応する所定のノードの第２の制御信号に分割して転送する手段を備える。
【００１４】
第１の発明のネットワークシステムにおいて、特定ノードは、ノード間の伝搬遅延が最大となる２つのノードのうち、制御信号の送信方向に対して上流側のノードとする。
【００１５】
第２の発明は、複数のノードがリング状に接続され、特定ノードを除く各ノードがパス数に応じた情報量を含む第１の制御信号を特定ノードに送信し、特定ノードが各ノードの情報量に応じてそれぞれに割り当てる帯域を決定し、その割当帯域情報を含む第２の制御信号を生成して各ノードに通知するネットワークシステムの制御方法において、各ノードの一部または全部は、集約対象のノード（以下、被集約ノードという）および自ノードが送信する第１の制御信号を集約し、第１の集約制御信号として特定ノードに送信するメディエータの設定が可能な構成とし、特定ノードは、メディエータを設定する集約ノードとして、該集約ノードおよび特定ノードにおける被集約ノードの数の偏差、または集約する情報量の偏差が閾値以下となるノードを決定し、当該ノードのメディエータの機能を起動する制御を行い、集約ノードは、被集約ノードおよび自ノードが送信する第１の制御信号を集約した第１の集約制御信号を特定ノードに向けて送信する。
【００１７】
第２の発明のネットワークシステムの制御方法において、特定ノードは、集約ノードに対して、所定のノードの割当帯域情報を集約した第２の集約制御信号を送信し、集約ノードは、第２の集約制御信号をそれぞれ対応する所定のノードの第２の制御信号に分割して転送する。
【００１８】
第２の発明のネットワークシステムの制御方法において、特定ノードは、ノード間の伝搬遅延が最大となる２つのノードのうち、制御信号の送信方向に対して上流側のノードとする。
【発明の効果】
【００１９】
本発明は、特定ノードの制御によりネットワークシステムにおける集約ノードが均等になるように配置することにより、被集約ノードの制御信号を効率よく集約して特定ノードに転送することができ、ネットワークリソースの使用効率を高めることができる。また、特定ノードの制御により集約ノードの配置を動的に変更できるので、例えばパスの増減設が生じた場合やファイバ断などの故障が発生した場合にも柔軟に対応することができる。
【図面の簡単な説明】
【００２０】
【図１】本発明のネットワークシステムの制御信号転送例１を示す図である。
【図２】本発明のネットワークシステムの制御信号転送例２を示す図である。
【図３】本発明のネットワークシステムの制御信号転送例３を示す図である。
【図４】メディエータを設定する集約ノードの決定手順例１を示す図である。
【図５】メディエータを設定する集約ノードの決定手順例２を示す図である。
【図６】制御信号用のＴＳテーブルの例を示す図である。
【図７】メディエータの構成例を示す図である。
【図８】ＰＯＮシステムの制御例を示す図である。
【図９】リングネットワークシステムの制御例を示す図である。
【図１０】リングネットワークシステムの制御信号用のＴＳテーブルの例を示す図である。
【発明を実施するための形態】
【００２１】
図１は、本発明のネットワークシステムの制御信号転送例１を示す。
図１において、ネットワークシステムは、ノード１〜４がループ状に接続された構成である。ここでは、ネットワークシステムは片方向リングとして制御信号が一方向のみに転送されるものとして説明するが、図３に示すように双方向リングとして制御信号が双方向に転送される形態でもよい。
【００２２】
ノード１〜４には、各ノードのパス数に応じたトラヒック情報を収集してＤＢＡ制御を行う帯域割当制御部２１の機能と、他のノードが送信するトラヒック情報を含む制御信号を集約して転送するメディエータ２２の機能と、メディエータ２２の機能を起動させて集約ノードを設定する集約ノード設定部２３の機能が配備される。初期状態では各機能は起動されておらず、以下に示す手順に従って所定のノードの対応する機能が起動される。なお、図１では各ノードにおける各機能部は起動されたもの以外は省略または点線で示している。
【００２３】
ここで、任意のノードの帯域割当制御部２１の機能を起動して特定ノードとするか、あるいはネットワークシステムの各ノード間の伝搬遅延時間が既知であり、ノード間の伝搬遅延が最大となる２つのノードのうち、制御信号の転送方向に対して上流側のノードの帯域割当制御部２１の機能を起動して特定ノードとする。すなわち、特定ノードは、他のノードからそれぞれのパス数に応じたトラヒック情報を収集し、各ノードに対して帯域割当を行うノードであり、自ら制御信号を送信する必要がないので、制御信号の伝搬遅延が最長となるノードに設定することにより、各ノードから特定ノードに対する制御信号の転送完了時間を最小限に抑えることができる。この特定ノードを決める処理は、各ノードの上位装置が行ってもよいし、任意のノードが行ってもよい。図１の例では、ノード１を特定ノードとしている。帯域割当制御部２１の機能が起動した特定ノード１は、他のノード２〜４からそれぞれのパス数に応じたトラヒック情報を収集し、各ノードに対して帯域割当を行う。
【００２４】
また、特定ノード１は、集約ノード設定部２３の機能を起動し、他のノードの中から集約ノードを決定してそのメディエータ２２の機能を起動する。集約ノードは、ネットワークシステムの規模に応じた数と、それらができるだけ「均等」になるように決められるが、「均等」の概念と決定方法については後述する。
【００２５】
ここでは、特定ノード１の集約ノード設定部２３がノード３を集約ノードに決定し、ノード３のメディエータ２２の機能を起動すると、ノード２が被集約ノードとなる。ノード３のメディエータ２２は、ノード２から送信されたトラヒック情報と、自ノードのトラヒック情報とを集約して連結した集約制御信号を生成し、特定ノード１に転送する。特定ノード１の帯域割当制御部２１は、ノード３から送信された集約制御信号を受信すると、ノード２およびノード３の各トラヒック情報に分解して取得する。ノード４は自ノードのトラヒック情報のみを特定ノード１に送信する。特定ノード１の帯域割当制御部２１は、各ノードのトラヒック情報に応じてそれぞれに割り当てる帯域を決定し、その割当帯域情報を含む制御信号をノード２〜４に向けて送信する。
【００２６】
また、ノード３に設定されたメディエータ２２の機能として、図２に示すように、ノード１の帯域割当制御部２１がノード３およびその下流のノード４の割当帯域情報を集約した集約制御信号をノード３に送信すると、ノード３のメディエータ２２が当該集約制御信号を分離し、自ノード宛ての制御信号（割当帯域）を終端するとともに、ノード４宛ての制御信号（割当帯域）を中継転送する処理を行ってもよい。すなわち、この場合のメディエータ２２は、転送経路の上流のノード２（被集約ノード）のトラヒック情報と自ノードのトラヒック情報とを集約・連結して送信する機能と、転送経路の下流のノード４の制御信号（割当帯域）を分離・中継する機能とを有する。
【００２７】
また、図３に示すように、各ノードのトラヒック情報を含む制御信号の転送方向と、各ノードの割当帯域情報を含む制御信号の転送方向とを逆とすれば、ノード３のメディエータ２２において、トラヒック情報が集約されるノード２（被集約ノード）と、割当帯域情報を分割転送するノード２は対称形となり、ノード１の帯域割当制御部２１におけるトラヒック情報または割当帯域情報を含む制御信号の処理が容易になる。
【００２８】
以下、図１０に示すリングネットワークシステムを例に、特定ノード１の集約ノード設定部（図１〜図３に示す２３）がメディエータを設定する集約ノードの決定方法について説明する。
図４は、メディエータを設定する集約ノードの決定手順例１を示す。
図５は、メディエータを設定する集約ノードの決定手順例２を示す。
【００２９】
図４および図５において、特定ノード１の集約ノード設定部では、各ノードと事前のやりとりにより、または上位装置からの設定により、リングネットワークのノード構成情報と、各ノードが管理すべきパス数と、当該パス数に応じた情報量を対応付けて保存しているものとする。当該パス数に応じた情報量は、帯域割当制御部を有する特定ノード１に通知すべきトラヒック情報量であり、その転送に要する所要ＴＳ数と割当ＴＳ位置が対応付けられる。ここで、各ノードの情報量は、１パス当たりの情報量をＡバイト（図４，図５では 100バイト）とし、管理すべきパス数をＢとすると、Ａ×Ｂとなる。また、１ＴＳに収納可能な情報量を3750バイトとする。
【００３０】
まず、特定ノード１の集約ノード設定部（図１〜図３に示す２３）は、リングネットワークの規模に応じた集約ノードの数を決め、さらに集約ノードがリングネットワーク上で「均等」になるように、被集約ノード数を基準に候補となるノードを決める。例えば、リングネットワーク上のノード数がＮの場合、集約ノード数＋１（特定ノード分）の値は、√Ｎ（Ｎの平方根）程度が適当であることがわかっている。それは、集約ノード数が多すぎると、被集約ノード数が減る一方で、集約ノードから特定ノードに転送される集約制御信号が増えて集約効率が低下するためである。図４および図５に示すように、全ノード数が13であれば、√13≒3.6 となり、集約ノードと特定ノードを合わせた数を３とすれば、集約ノード数は２となる。次に、集約ノードと特定ノードを除くノード（被集約ノード）の合計数は10となるので、それを３分割し、被集約ノードの数が３または４となる集約ノードおよび特定ノードの配置を暫定的に「均等」とする。図４および図５に示す全ノード数が13で特定ノード１の場合、集約ノードの候補となるノードは、ノード６とノード10、ノード５とノード９、ノード５とノード10となる。
【００３１】
図４の例では、ノード６およびノード10を集約ノードとしたときに、ノード６の被集約ノード数が４であり、被集約ノード２，３，４，５とノード６の情報量を合わせた集約情報量が3800バイトとなり、ノード10の被集約ノード数が３であり、被集約ノード７，８，９とノード10の情報量を合わせた集約情報量が2800バイトとなり、ノード１の被集約ノード数が３であり、ノード11，12，13とノード１の情報量を合わせた集約情報量は2300バイトとなる。なお、ノード１ではトラヒック情報を集約するわけではないが、便宜的に被集約ノード数および集約情報量を算定している。ここでは、ノード６の集約情報量が１ＴＳに収容可能な情報量の3750バイトを超えるので、集約制御信号を転送するには２ＴＳが必要になる。したがって、各ノードが送信する制御信号の割当ＴＳ位置は、集約ノードにおけるメディエータの処理に１ＴＳを当てるとして図４に示すようにＴＳ１〜ＴＳ７となる。
【００３２】
図５の例では、ノード５およびノード９を集約ノードとしたときに、図４の例と同様にノード５の被集約ノード数が３および集約情報量が2900バイトとなり、ノード９の被集約ノード数が３および集約情報量が3300バイトとなり、ノード１の被集約ノード数が４および集約情報量が2700バイトとなる。ここでは、ノード５およびノード９の集約情報量が１ＴＳに収容可能な情報量の3750バイトに収まる。したがって、各ノードが送信する制御信号の割当ＴＳ位置は、集約ノードにおけるメディエータの処理に１ＴＳを当てるとして図５に示すようにＴＳ１〜ＴＳ６となる。
【００３３】
このように、ネットワーク全体の所要ＴＳ数は、図４の場合が７ＴＳ、図５の場合は６ＴＳとなる。したがって、図５のように、ノード５およびノード９を集約ノードとして決定した場合には、よりネットワークリソースの使用効率を高めることができる。
【００３４】
また、被集約ノード数の偏差、集約情報量および所要ＴＳ数の偏差に閾値を設定し、当該閾値以下となる偏差が得られる集約ノードの組合せを一意に決定してもよい。例えば、被集約ノード数の偏差の閾値として１、集約情報量の偏差の閾値として400 、所要ＴＳ数の偏差の閾値として０とする。
【００３５】
図４のノード６、ノード10、ノード１における被集約ノード数（４，３，３）の偏差は0.58であり、図５のノード５、ノード９、ノード１における被集約ノード数（３，３，４）の偏差は0.58であり、両偏差は閾値以下であり、かつ同等であることがわかる。図４のノード６、ノード10、ノード１における集約情報量（3800，2800，2300）の偏差は764 であり、図５のノード５、ノード９、ノード１における集約情報量（2900，3300，2700）の偏差は306 であり、図５の集約ノードの組合せにおける集約情報量の偏差が閾値以下であることがわかる。また、図４のノード６およびノード10における所要ＴＳ数（２，１）の偏差が0.71であり、図５のノード５およびノード９における所要ＴＳ数（１，１）の偏差は０であり、図５の集約ノードの組合せにおける所要ＴＳ数の偏差の閾値以下であることがわかる。
【００３６】
このように、メディエータを設定する集約ノードの均等化条件として、被集約ノード数の偏差、集約情報量および所要ＴＳ数の偏差を考慮し、上記閾値の条件を満足する集約ノードの組合せが見つかった時点で、ネットワークリソースの使用効率を高める配置として決定するようにしてもよい。ただし、すべての集約ノードの組合せについて上記計算を行って最適解を求める方法では、ネットワークの規模とともに計算時間が急増するため現実的ではないので、例えば被集約ノード数を基準に所定数の候補を選出し、それらの中で集約情報量および所要ＴＳ数の偏差が最小になるものを選択してもよい。
【００３７】
図５に示すノード５およびノード９を集約ノードに設定した場合の制御信号用のＴＳテーブルを図６に示す。被集約ノード２〜４のトラヒック情報は、ＴＳ１〜ＴＳ３でそれぞれ集約ノード５に送信され、ＴＳ４で集約ノード５のトラヒック情報も含めて集約され、集約制御信号としてＴＳ５で帯域割当制御部を有する特定ノード１に向けて送信される。被集約ノードであるノード６〜ノード８のトラヒック情報は、ＴＳ１〜ＴＳ３でそれぞれ集約ノードであるノード９に送信され、ＴＳ４でノード９のトラヒック情報も含めて集約され、集約制御信号としてＴＳ６で帯域割当制御部を有するノード１に向けて送信される。ノード10〜ノード13のトラヒック情報は、ＴＳ１〜ＴＳ４でそれぞれ帯域割当制御部を有するノード１に向けて送信される。
【００３８】
ここで、ノード13とノード１との間のリンクに着目すると、図１０に示す従来構成における所要帯域は12ＴＳであるが、図６に示す本発明における所要帯域は６ＴＳ（図４の場合でも７ＴＳ）となり、大幅に低減している。この低減したＴＳの部分をデータ通信用に利用すれば、収容トラヒック量を増大させることができる。あるいは、低減したＴＳの部分をトラヒック情報の収集に再度利用すれば、同一リソース量における収集頻度を高めることができる。
【００３９】
図７は、メディエータの構成例を示す。ここでは、図６のノード９に設定されるメディエータを例に説明する。
図７において、ノード９のメディエータの制御部３１は、図６に示す制御信号用の情報が書き込まれたＴＳテーブル３２に従って、ノード６〜８からＴＳ１〜ＴＳ３で送信された制御信号と、ノード９自身の制御信号を集約した集約制御信号をＴＳ６でノード１に送信し、ノード５からＴＳ５で送信された集約制御信号をスルーしてノード１に送信する処理を実行する。具体的には、以下のような構成により実行される。
【００４０】
ノード間を接続する光伝送路から分岐した光信号がメディエータに入力する。その光信号は、波長フィルタ３３で制御信号用波長とデータ信号用波長に分離され、制御信号用波長の光信号が光スイッチ３４に入力する。光スイッチ３４は、制御部３１のＴＤＭ制御により、ＴＳ１〜ＴＳ３で送信されたノード６〜８の制御信号と、ＴＳ５で送信されたノード５の集約制御信号を分離して出力する。ノード６〜８の制御信号は、光／電気変換器３５で電気信号に変換されてバッファ３６に蓄積される。集約処理部３７は、制御部３１の制御により、バッファ３６に蓄積されたノード６〜８の制御信号と、ノード９自身の制御信号を集約した集約制御信号を出力する。この集約制御信号は、電気／光変換器３８で光信号に変換されて光スイッチ３９に入力する。光スイッチ３９は、制御部３１のＴＤＭ制御により、電気／光変換器３８から入力するノード９の集約制御信号をＴＳ６で出力し、光スイッチ３４から入力するノード５の集約制御信号をＴＳ５で出力し、それぞれ光伝送路に送出する。すなわち、ノード５の集約制御信号は、ＴＳ５で光スイッチ３４から光スイッチ３９を介して光伝送路に出力される。
【００４１】
なお、ここに示した光スイッチ３４，３９は、１×２スイッチを想定したが、ＳＯＡ（Semiconductor Optical Amplifier ）を用いた３個のオンオフ光スイッチと２個の光カプラとを用いても構成することができる。
【００４２】
以上の説明では、初期設定として特定ノードが決まり、さらに特定ノードが各ノードの情報量に応じて集約ノードを決める手順を示したが、各ノードは特定ノードおよび集約ノードになりうる帯域割当制御部２１の機能、メディエータ２２の機能、集約ノード設定部２３の機能を有するので、特定ノードおよび集約ノードを動的に変更することも可能である。
【００４３】
特定ノードを動的に変更するケースは、ノード増減設が行われた際や故障発生時が挙げられる。ノード増減設が行われた場合、各ノード間の伝搬遅延が変化するため、それまで伝搬遅延が最大となっているリンクが変わる場合がある。この場合には、上記のアルゴリズムで再設計を行い、特定ノードの配備位置を決定する。また、故障発生時、例えばファイバ断が発生した際には、制御信号を送る向きを変更する必要があるノードが生じ、それまでの特定ノードの配備位置を変更した方がよい場合があり、同様に再設計を行う。
【００４４】
集約ノードを動的に変更するケースは、パスの増減設が行われた際や故障発生時が挙げられる。パス増減設が行われた場合、各ノードが送信すべきトラヒック情報量に変化が生じるため、再設計を行い集約ノードの配備位置を決定する。また、故障、例えばファイバ断が発生した場合、制御信号を送る向きを変更する必要があるノードが生じ、それまでの集約ノードの配備位置を変更した方がよい場合があり、同様に再設計を行う。
【００４５】
また、帯域割当制御部２１の機能、メディエータ２２の機能、集約ノード設定部２３の機能を全ノードに配備せず、例えば収容するトラヒックが多いノードに限定してそれらの機能を配備してもよい。このように一部のノードのみに各機能部が配置される場合は、特定ノードおよび集約ノードを決める設計演算の際に考慮する必要がある。
【符号の説明】
【００４６】
１〜１３  ノード
２１  帯域割当制御部
２２  メディエータ
２３  集約ノード設定部
３１  制御部
３２  ＴＳテーブル
３３  波長フィルタ
３４，３９  光スイッチ
３５  光／電気変換器（Ｏ／Ｅ）
３６  バッファ
３７  集約処理部
３８  電気／光変換器（Ｅ／Ｏ）
【図１】
0006279460.tif 000002
【図２】
0006279460.tif 000003
【図３】
0006279460.tif 000004
【図４】
0006279460.tif 000005
【図５】
0006279460.tif 000006
【図６】
0006279460.tif 000007
【図７】
0006279460.tif 000008
【図８】
0006279460.tif 000009
【図９】
0006279460.tif 000010
【図１０】
0006279460.tif 000011